(57)【要約】      （修正有）【課題】板本体の発光効率を高め、照明器具の照明効率を高くする両面光取り出し導光板を提供する。【解決手段】両面光取り出し導光板及び照明器具は、板本体１と、板本体の側面に設けられた複数の第１導光網点２と、板本体の他方の側面に設けられた第２導光網点とを含み、第１導光網点は板本体の側面に張り巡らされ、第２導光網点は板本体の他方の側面に張り巡らされ、第１導光網点は板本体の側面に不規則に配列されており、第２導光網点は板本体の他方の側面に不規則に配列されている。第１導光網点及び第２導光網点をいずれも不規則に配列することにより、板本体の内部に入射した光線が片側の第１導光網点を経て反射拡散した後に板本体の他方側の第２導光網点の隙間から出射し、板本体の両側面にある第１導光網点と第２導光網点との間の相互影響を回避する。【選択図】図１
0003234176.tif 000002
【実用新案登録請求の範囲】
【請求項１】
板本体と、前記板本体の側面に設けられた複数の第１導光網点と、前記板本体の他方の側面に設けられた第２導光網点とを含み、前記第１導光網点は前記板本体の側面に張り巡らされ、前記第２導光網点は前記板本体の他方の側面に張り巡らされ、前記第１導光網点は前記板本体の側面に不規則に配列されており、前記第２導光網点は前記板本体の他方の側面に不規則に配列されていることを特徴とする両面光取り出し導光板。
【請求項２】
前記第１導光網点及び前記第２導光網点はいずれもスクリーン印刷によって形成されたインキ網点であることを特徴とする請求項１に記載の両面光取り出し導光板。
【請求項３】
スクリーン印刷により前記第１導光網点及び前記第２導光網点を形成する時に用いられるスクリーン印刷用メタルマスクのメッシュ数は２５０メッシュより大きいことを特徴とする請求項２に記載の両面光取り出し導光板。
【請求項４】
複数の前記第１導光網点のうち、一部が互いに積層して設けられ、一部が互いに間隔をおいて設けられることを特徴とする請求項３に記載の両面光取り出し導光板。
【請求項５】
複数の前記第２導光網点のうち、一部が互いに積層して設けられ、一部が互いに間隔をおいて設けられることを特徴とする請求項３に記載の両面光取り出し導光板。
【請求項６】
間隔をおいて設けられ且つ隣接する２つの前記第１導光網点の間のピッチは０ｍｍから０．１ｍｍであることを特徴とする請求項４に記載の両面光取り出し導光板。
【請求項７】
間隔をおいて設けられ且つ隣接する２つの前記第２導光網点の間のピッチは０ｍｍから０．１ｍｍであることを特徴とする請求項５に記載の両面光取り出し導光板。
【請求項８】
前記板本体の側面に霧化層がさらに設けられており、前記板本体の他方の側面にも霧化層が設けられていることを特徴とする請求項１に記載の両面光取り出し導光板。
【請求項９】
照明器具本体を含み、請求項１〜８のいずれか１項に記載の両面光取り出し導光板をさらに含み、前記両面光取り出し導光板は前記照明器具本体に設けられることを特徴とする照明器具。
【考案の詳細な説明】
【技術分野】
【０００１】
本考案は、照明機器の技術分野に属し、より具体的に言えば、両面光取り出し導光板及び照明器具に関する。
【背景技術】
【０００２】
導光板は、非常に高い屈折率を有し且つ吸光しないハイテック材料を用いて、光学グレードのアクリル板材又はＰＣ板材の底面に導光ドットを印刷するものである。一般的には、導光板の側面に光源が設置され、ランプから出射した光が光学グレードのアクリル板材に吸収されて光学グレードのアクリル板材の表面に滞留することを利用し、光線が各導光ドットに入射すると、光線は反射によって各角度へ拡散し、続いて導光板の発光面から出射し、さらに導光板を均一に発光させることができる。しかしながら、従来の技術において、導光板を両面発光させる必要がある場合、人々は導光板の２つの光取り出し面にいずれも導光ドットを均一に設置するが、導光板の２つの側面に均一に設置された導光ドットは互いに影響し、それによって導光板の発光効率の低下を引き起こす。
【考案の概要】
【考案が解決しようとする課題】
【０００３】
本考案は、従来の技術における導光板に存在する発光効率が低く且つ照明器具の照明効果に影響を及ぼすという問題を解決するために、両面光取り出し導光板及び照明器具を提供することを目的とする。
【課題を解決するための手段】
【０００４】
上記目的を実現するために、本考案が採用する技術的解決手段は、両面光取り出し導光板であって、照明器具本体内に設けられ、板本体と、前記板本体の側面に設けられた複数の第１導光網点と、前記板本体の他方の側面に設けられた第２導光網点とを含み、前記第１導光網点は前記板本体の側面に張り巡らされ、前記第２導光網点は前記板本体の他方の側面に張り巡らされ、前記第１導光網点は前記板本体の側面に不規則に配列されており、前記第２導光網点は前記板本体の他方の側面に不規則に配列されている両面光取り出し導光板を提供することである。
【０００５】
本願の別の実施例として、前記第１導光網点及び前記第２導光網点はいずれもスクリーン印刷によってインキを前記板本体の２つの側面に浸透させて形成されたインキ網点である。
【０００６】
本願の別の実施例として、スクリーン印刷により前記第１導光網点及び前記第２導光網点を形成する時に用いられるスクリーン印刷用メタルマスクのメッシュ数は２５０メッシュより大きい。
【０００７】
本願の別の実施例として、複数の前記第１導光網点のうち、一部が互いに積層して設けられ、一部が互いに間隔をおいて設けられる。
【０００８】
本願の別の実施例として、複数の前記第２導光網点のうち、一部が互いに積層して設けられ、一部が互いに間隔をおいて設けられる。
【０００９】
本願の別の実施例として、間隔をおいて設けられ且つ隣接する２つの前記第１導光網点の間のピッチは０ｍｍから０．１ｍｍである。
【００１０】
本願の別の実施例として、間隔をおいて設けられ且つ隣接する２つの前記第２導光網点の間のピッチは０ｍｍから０．１ｍｍである。
【００１１】
本願の別の実施例として、前記板本体の側面に霧化層がさらに設けられており、前記板本体の他方の側面にも霧化層が設けられている。
【００１２】
本考案にて提供される両面光取り出し導光板の有益な効果は以下のとおりである。従来の技術に比べると、板本体の両側面に張り巡らされる第１導光網点及び第２導光網点は板本体の両側面にそれぞれ設けられ、且つ第１導光網点及び第２導光網点は板本体の両側面にそれぞれ不規則に配列される。本考案の両面光取り出し導光板は、第１導光網点及び第２導光網点をいずれも不規則に配列することにより、板本体の内部に入射した光線が片側の第１導光網点を経て反射拡散した後に板本体の他方側の第２導光網点の隙間から出射し、板本体の両側面にある第１導光網点と第２導光網点との間の相互影響を回避し、板本体の発光効率を高める。
【００１３】
本考案は、照明器具であって、照明器具本体を含み、さらにいずれか１項に記載の両面光取り出し導光板を含み、前記両面光取り出し導光板は前記照明器具本体に設けられる照明器具をさらに提供する。
【００１４】
本考案にて提供される照明器具の有益な効果は以下のとおりである。従来の技術に比べると、板本体の両側面に張り巡らされる第１導光網点及び第２導光網点は板本体の両側面にそれぞれ設けられ、且つ第１導光網点及び第２導光網点は板本体の両側面にそれぞれ不規則に配列される。本考案の照明器具は、第１導光網点及び第２導光網点をいずれも不規則に配列することにより、板本体の内部に入射した光線が片側の第１導光網点を経て反射拡散した後に板本体の他方側の第２導光網点の隙間から出射し、板本体の両側面にある第１導光網点と第２導光網点との間の相互影響を回避し、板本体の発光効率を高め、照明器具の照明効果をより高くする。
【図面の簡単な説明】
【００１５】
本考案の実施例における技術的解決手段をより明確に説明するために、以下は実施例又は従来の技術の説明に使用する必要がある図面について簡単に説明し、明らかに、以下の説明における図面は本考案のいくつかの実施例にすぎず、当業者であれば、創造的な労働をせず、これらの図面に基づいて他の図面をさらに得ることができる。
【図１】本考案の実施例にて提供される両面光取り出し導光板の構造概略図である。
【図２】本考案の実施例にて提供される両面光取り出し導光板の断面構造概略図である。
【考案を実施するための形態】
【００１６】
本考案の解決しようとする技術的問題、技術的解決手段及び有益な効果がより明瞭になるよう、図面及び実施例と結び付けて本考案を一層詳細に説明する。ここで説明した具体的な実施例は本考案を解釈するためのものにすぎず、本考案を限定するものではないことを理解されたい。
【００１７】
図１及び図２を共に参照しながら、本考案にて提供される両面光取り出し導光板について説明する。両面光取り出し導光板は、板本体１と、板本体１の側面に設けられて光線を反射拡散させるために用いられる複数の第１導光網点２と、板本体１の他方の側面に設けられて光線を反射拡散させるために用いられる第２導光網点３とを含み、第１導光網点２は板本体１の側面に張り巡らされ、第２導光網点３は板本体１の他方の側面に張り巡らされ、第１導光網点２は板本体１の側面に不規則に配列されており、第２導光網点３は板本体１の他方の側面に不規則に配列されている。
【００１８】
好ましくは、第１導光網点と第２導光網点が位置する板本体の両側面は対向して設けられた両横側面である。
【００１９】
本実施例にて提供される両面光取り出し導光板は、従来の技術に比べると、板本体１の両横側面に張り巡らされる第１導光網点２及び第２導光網点３が板本体１の両横側面にそれぞれ設けられ、且つ第１導光網点２及び第２導光網点３が板本体１の両横側面にそれぞれ不規則に配列される。本考案の両面光取り出し導光板は、第１導光網点２及び第２導光網点３をいずれも不規則に配列することにより、板本体１の内部に入射した光線が片側の第１導光網点２を経て反射拡散した後に板本体１の他方側の第２導光網点３の隙間から出射し、板本体１の両横側面にある第１導光網点２と第２導光網点３との間の相互影響を回避する。
【００２０】
本実施例において、光源４は板本体１の１つの縦側面に設けられ、該縦側面は第１導光網点２及び第２導光網点３が位置する両横側面と直交し、光源４から出射した光線は板本体１の１つの縦側面を通過して板本体１の内部に入り且つ第１導光網点２及び第２導光網点３を経て反射拡散した後に板本体１の両横側面から出射し、大面積の発光照射領域を形成する。
【００２１】
本考案にて提供される両面光取り出し導光板の具体的な実施形態として、図１及び図２を共に参照すれば、第１導光網点２及び第２導光網点３はいずれもスクリーン印刷によってインキを板本体１の両横側面に浸透させて形成されたインキ網点である。第１導光網点２及び第２導光網点３はメタルマスクによるスクリーン印刷方式により、インキを板本体１の両横側面に浸透させ、スクリーン印刷時にメタルマスクにおける各部位のインキの量と付着位置がいずれも異なるため、インキが板本体１の両横側面において不規則に配列されるようになり、且つインキの板本体１における拡散速度と各方向への拡散速度がいずれも異なるため、インキ網点の形状及び大きさがランダムな形状になり、第１導光網点２と第２導光網点３がいずれも規則的に配列されることを防止することができ、板本体１の両横側面に位置する第１導光網点２と第２導光網点３との間の相互影響を回避し、光線が板本体１の両横側面に目立った干渉縞を形成することを防止する。
【００２２】
本考案にて提供される両面光取り出し導光板の具体的な実施形態として、図１及び図２を参照すれば、スクリーン印刷により第１導光網点２及び第２導光網点３を形成する時に用いられるスクリーン印刷用メタルマスクのメッシュ数は２５０メッシュより大きい。メタルマスクのメッシュ数が２５０メッシュより大きいと、複数の第１導光網点２の間の間隔、及び複数の第２導光網点３の間の間隔を効果的に減少することができ、且つ第１導光網点２及び第２導光網点３の面積を小さくし、人の目の限界解像度を超え、視覚的に板本体１の表面に網点無し効果を呈させ、板本体１の両側の光を均一に分布させる。
【００２３】
本考案にて提供される両面光取り出し導光板の具体的な実施形態として、図１及び図２を参照すれば、複数の第１導光網点２のうち、一部が互いに積層して設けられ、一部が互いに間隔をおいて設けられる。第１導光網点２はこのような分布形態を採用することにより、板本体１の側面に位置する第１導光網点２の間の相互影響を回避し、光線が板本体１の側面から出射する時に板本体１の両側に目立った干渉縞を形成することを防止し、導光板の光取り出し効果をより高くする。
【００２４】
本考案にて提供される両面光取り出し導光板の具体的な実施形態として、図１及び図２を参照すれば、複数の第２導光網点３のうち、一部が互いに積層して設けられ、一部が互いに間隔をおいて設けられる。第２導光網点３はこのような分布形態を採用することにより、板本体１の側面に位置する第２導光網点３の間の相互影響を回避し、光線が板本体１の側面から出射する時に板本体１の両側に目立った干渉縞を形成することを防止し、導光板の光取り出し効果をより高くする。
【００２５】
本考案にて提供される両面光取り出し導光板の具体的な実施形態として、図１及び図２を参照すれば、間隔をおいて設けられ且つ隣接する２つの第１導光網点２の間のピッチは０ｍｍから０．１ｍｍである。０ｍｍから０．１ｍｍのピッチは人の目の限界解像度を超え、視覚的に板本体１の表面に網点無し効果を呈させ、光が板本体１の表面から効率的に出射する。
【００２６】
本考案にて提供される両面光取り出し導光板の具体的な実施形態として、図１及び図２を参照すれば、間隔をおいて設けられ且つ隣接する２つの第２導光網点３の間のピッチは０ｍｍから０．１ｍｍである。０ｍｍから０．１ｍｍのピッチは人の目の限界解像度を超え、視覚的に板本体１の表面に網点無し効果を呈させ、光が板本体１の表面から効率的に出射する。
【００２７】
本考案にて提供される両面光取り出し導光板の具体的な実施形態として、図１及び図２を参照すれば、板本体１の側面（第１導光網点２が位置する側面）に霧化層がさらに設けられ、板本体１の他方の側面（第２導光網点３が位置する側面）にも霧化層が設けられている。霧化層の設置により、板本体１から出射する光線を散乱させ、板本体１の表面から出射する光線をより柔らかくし且つ均一にし、本両面光取り出し導光板をより使用しやすくする。
【００２８】
本考案は、照明器具であって、照明器具本体を含み、さらにいずれかの１項に記載の両面光取り出し導光板を含み、前記両面光取り出し導光板は前記照明器具本体に設けられる照明器具をさらに提供する。
【００２９】
本考案にて提供される照明器具の有益な効果は以下のとおりである。従来の技術に比べると、板本体１の表面に張り巡らされる第１導光網点２及び第２導光網点３が板本体１の両側面にそれぞれ設けられ、且つ第１導光網点２及び第２導光網点３が板本体１の両横側面にそれぞれ不規則に配列される。本考案の照明器具は、第１導光網点２及び第２導光網点３をいずれも不規則に配列することにより、板本体１の内部に入射した光線が片側の第１導光網点２を経て反射拡散した後に板本体１の他方側の第２導光網点３の隙間から出射し、板本体１の両横側面にある第１導光網点２と第２導光網点３との間の相互影響を回避し、板本体１の発光効率を高め、照明器具の照明効果をより高くする。
【００３０】
以上は本考案の好ましい実施例にすぎず、本考案を限定するものではなく、本考案の精神及び原則の範囲内で行われるいずれかの修正、同等置き換え及び改善などは、いずれも本考案の保護範囲に含まれるべきである。
【符号の説明】
【００３１】
１...板本体、２...第１導光網点、３...第２導光網点、４...光源。
【図１】
0003234176.tif 000003
【図２】
0003234176.tif 000004